(57)【要約】【課題】画像形成装置本体の構造・構成への変更を最小限として、ブック形状原稿を、中央位置を基準としてコンタクトガラス上に載置可能である画像形成装置の原稿載置台上に設置する、溝を有する原稿位置決めスケール、この位置決めスケールを備える画像読み取り装置、並びにこの画像読み取り装置を搭載する画像形成装置を提供する。【解決手段】画像形成装置の原稿載置台上に配置されたコンタクトガラスに設置される原稿位置決めスケール１４において、前記原稿載置台１０上に載置される各原稿サイズの半分の長さの位置を中心線とした線対称の位置上に２個以上の溝１５を設ける。【選択図】図３
2007279604.tif 000002
【特許請求の範囲】
【請求項１】
画像形成装置の原稿載置台上に配置されたコンタクトガラスに設置される原稿位置決めスケールにおいて、前記原稿位置決めスケール面に、前記原稿載置台上に載置される各原稿サイズの半分の長さの位置を中心線とした線対称の位置上に２個以上の溝を設けたことを特徴とする原稿位置決めスケール。
【請求項２】
前記溝の一部には、上方向及び、左右方向に、溝内壁面に対して直交方向に突出した突起部材を設けたことを特徴とする請求項１記載の原稿位置決めスケール。
【請求項３】
前記溝の底面には、前記溝の大きさに対して小さい、１個以上の位置決め穴を設けることを特徴とする請求項１又は２記載の原稿位置決めスケール。
【請求項４】
前記溝は、原稿位置決めスケールを貫通していないことを特徴とする請求項１乃至３のいずれか１項記載の原稿位置決めスケール。
【請求項５】
請求項１乃至４のいずれか１項記載の原稿位置決めスケールを備えることを特徴とする画像読み取り装置。
【請求項６】
請求項５記載の画像読み取り装置を載置することを特徴とする画像形成装置。
【発明の詳細な説明】
【技術分野】
【０００１】
本発明は、画像形成装置の原稿載置台上の溝を有する原稿位置決めスケール、この位置決めスケールを備える画像読み取り装置、及びこの画像読み取り装置を搭載する画像形成装置に関するものである。
【背景技術】
【０００２】
複写機、プリンタ、ファクシミリ装置等の画像形成装置にあっては、コンタクトガラス上にセットした原稿の画像を読取り部により読取ることによって得た画像情報に基づいて画像形成を行うための構成を備えている。
原稿位置決め部材は、画像形成装置の原稿載置台上に配置されたコンタクトガラスの左側端縁全体を被覆する左側端縁原稿位置決め部材、及び奥側の端縁全体を被覆する奥側端縁原稿位置決め部材から構成されている。
原稿は、コンタクトガラスの任意の位置に配置された後、左側、奥側の原稿位置決め部材が交差するコーナー部に配置されることで位置決めが行われる。なお、原稿位置決め部材には原稿サイズを示す文字等が示されているため、原稿位置決めスケールとも呼ばれている。
【０００３】
このような画像形成装置において原稿の位置決めを行なう原稿位置決め部材の構成として種々の技術が従来から知られている（例えば、特許文献１乃至４参照）。
特許文献１では、ブック形状原稿の位置決めも容易に行えるように、コンタクトガラス面上に突出しつつコンタクトガラス面外に退避自在でブック形状原稿の綴じ部に係合して綴じ部をコピー中央位置に位置決めする原稿台装置が開示されている。各原稿サイズの中央位置に突出した部材を設置する必要があるため、一方の走査方向と平行に移動可能な機構（例えば、レール）を設けることによりその課題を解決している。
特許文献２では、転写紙の中央位置を基準にパンチで穴を開けられるように転写紙に、自動的にセンターマークを形成する画像形成装置が開示されている。
また、特許文献３では、原稿がカールしていることに起因して、圧板による押圧時に原稿の位置ズレを防ぐように、原稿位置決めスケールのコンタクトガラス側端面に、各用紙サイズに対応した凹形状を奥方向に階段状に設けた画像形成装置が開示されている。
【特許文献１】実開昭５８−１３５７３９号公報
【特許文献２】特開昭６３−１３５９６７号公報
【特許文献３】実開平０５−０８４９５７号公報
【特許文献４】実開平０６−０５８６５１号公報
【発明の開示】
【発明が解決しようとする課題】
【０００４】
しかしながら、特許文献１については、現在、複写機等の画像形成装置では小型化が求められており、主要ではないブック形状原稿の読み取りのためにスペースを設けるのは難しく、併せてコストも掛かるため、実現されていないのが現状である。
加えて、特許文献１に記載のような機構は、既に複写機を購入しているユーザーに対してオプションとして提供することは非常に難しい。特許文献２については、転写紙の中央は判るが、ブック形状原稿が転写紙の中央へ転写されるように位置決めすることはできない。
【０００５】
特許文献３の技術を検討すると、シート状の原稿については正確に位置決めできるが、中央部に浮きがある、ブック形状原稿については正確には位置決めできない。
また、凹形状は位置決めスケールの奥方向に階段状に形成されているため、原稿の先端位置が原稿サイズによって異なるため、給紙タイミングを調整する制御が必要となる。
シート原稿では、コンタクトガラス上の任意の位置に配置された後、左側で奥側の原稿位置決め部材が交差するコーナー部に配置する等の方法で、位置決めを容易に行うことができる。
【０００６】
しかし、ブック原稿においては、左側の奥側の原稿位置決め部材が交差するコーナー部に配置することは難しく、また、厚みがある場合には押さえた際に位置がずれてしまう。
加えて、ノート等のように中央を綴じたものについては、左側の奥側を合わせたとしても、中央に浮きがあるため、印刷された際には左方向にずれてしまう。この問題を解決するために、上述したように、コンタクトガラス面上に突出した部材を設置し、その突出した部材に綴じ部を合わせることで、コピー中央位置に位置決めする原稿台装置が提案されている。
突出した部材を設置することによって、ブック形状原稿の中央位置への位置決めは可能であるが、各原稿サイズの中央位置に突出した部材を設置する必要がある。
【０００７】
特許文献１及び４では、一方の走査方向と平行に移動可能な機構（例えばレール）を設けることによりその課題を解決している。しかし、現在、複写機等の画像形成装置では小型化が求められており、需要が少ないブック形状原稿の読み取りのためにスペースを設けるのは難しく、併せてコストも掛かるため、実現されていないのが現状である。
そこで、本発明の目的は、画像形成装置本体の構造・構成への変更を最小限として、ブック形状原稿を中央位置を基準としてコンタクトガラス上に載置可能である画像形成装置の原稿載置台上に設置する溝を有する原稿位置決めスケール、この位置決めスケールを備える画像読み取り装置、並びにこの画像読み取り装置を搭載する画像形成装置を提供することにある。
【課題を解決するための手段】
【０００８】
上記の課題を解決するために、請求項１に記載の発明は、画像形成装置の原稿載置台上に配置されたコンタクトガラスに設置される原稿位置決めスケールにおいて、前記原稿載置台上に載置される各原稿サイズの半分の長さの位置を中心線とした線対称の位置上に２個以上の溝を設ける原稿位置決めスケールを特徴とする。
また、請求項２に記載の発明は、前記溝の一部には、図１の紙面に示す方向で、上方向及び、左右方向に、溝内壁面に対して直交方向に突起部材を設ける請求項１記載の原稿位置決めスケールを特徴とする。
【０００９】
また、請求項３に記載の発明は、前記溝の底面には、前記溝の大きさに対して小さい、１個以上の位置決め穴を設ける請求項１又は２記載の原稿位置決めスケールを特徴とする。
また、請求項４に記載の発明は、前記溝がそれを貫通していない請求項１乃至３のいずれか１項記載の原稿位置決めスケールを特徴とする。
また、請求項５に記載の発明は、請求項１乃至４のいずれか１項記載の原稿位置決めスケールを備える画像読み取り装置を特徴とする。
また、請求項６に記載の発明は、請求項５記載の画像読み取り装置を載置する画像形成装置を特徴とする。
【発明の効果】
【００１０】
本発明によれば、原稿位置決めスケールの、各原稿サイズの半分の長さの位置を中心に溝を設けることで、現状の画像形成装置の構成に影響を与えず、中央位置を基準として設置するための突出した部材を設置することができる。溝は各原稿サイズの半分の位置に設けられているため、各原稿サイズに対応できる。
また、突出した部材は、原稿位置決めスケールに設けた溝に固定するため、取り外せばシート原稿の読み取りには影響を与えない。画像形成装置を構成する部品としては、原稿位置決めスケールのみの変更で済むため、既に製造・販売されている画像形成装置においてもわずかな変更で提供できる。
【発明を実施するための最良の形態】
【００１１】
以下、図面を参照して、本発明の実施の形態を詳細に説明する。図１は画像形成装置を示す概略図である。図２（ａ）及び（ｂ）は画像形成装置の画像読み取り部の一例を示す概略平面図、及び位置決め部材の構成図である。図３は本発明の実施の形態の原稿位置決めスケールを真上から見た上面図である。
画像形成装置Ａは画像読み取り部１、排紙部２、作像部３、給紙部４、原稿送り装置５を備え、転写紙を貯蔵かつ送給する給紙部４から給紙された転写紙は作像部３において画像形成を受けた後で排紙部２に排出される。
原稿送り装置５を除いて示す図２（ａ）の画像読み取り部１の概略平面図において、原稿載置台１０の中央にはコンタクトガラス１１が配置されている。このコンタクトガラス１１の図示紙面の上方と左方には、原稿位置決めスケール１２、１４が配置されている。コンタクトガラス１１の直下には画像読取部１が配置されている。
これらの原稿位置決めスケール１２、１４はコンタクトガラス１１の短い辺全体に原稿位置決めスケール１２が延び、この原稿位置決めスケール１２の幅を除いた位置から、ここにコーナー部１３を設けて、長い辺全体に原稿位置決めスケール１４が延びている。
【００１２】
図３に示すように、原稿位置決めスケール１４には、コンタクトガラス１１上に載置される各原稿サイズの半分の位置を中心として左右対称に、４個の溝１５が設けられている。
このように、原稿位置決めスケール１４の各原稿サイズの半分の長さに対応する位置を中心に左右対称に溝１５を設けることによって、現状の画像形成装置（例えば、図１）の構成に影響を与えず、中央位置を基準として設置するための突出した位置決め部材３０を設置することができる。溝１５は各原稿サイズの半分の位置に設けられているため、各原稿サイズに対応できる。
【００１３】
図４は原稿位置決めスケールに設けた溝を図３の線Ａ−Ａ’で示す断面図である。図４において、原稿位置決めスケール１４の溝１５のＡ’側には、溝１５の側面に対して直交方向に、第１突起部材２０が設けられている。また、溝１５の底面には、溝の大きさに対して小さい位置決め穴２２が設けられている。
【００１４】
図５は原稿位置決めスケールに設けた溝を図３の線Ｂ−Ｂ’で示す断面図である。原稿位置決めスケール１４の溝１５のＢ,Ｂ’側には溝１５の側面に対して直交方向に第２突起部材２１が設けられている。
本実施の形態において、溝１５に取り付ける第１突起部材２０及び第２突起部材２１は、特許文献１、又は特開昭６０−１７６０３０号公報にて開示されている突出した部材（図２（ａ）（ｂ）に示した三角柱状の位置決め部材３０）を位置ずれしないように支持する部材である。位置決め部材３０はその底面に、溝１５、或いは突起部材２０、２１、或いは位置決め穴２２に整合する嵌合部を備えている。
第１及び第２突起部材２０、２１は、原稿位置決めスケール１４に設けた溝１５に固定するため、取り外せば、シート原稿の読み取りには影響を与えない。
画像形成装置を構成する部品としては、原稿位置決めスケール１４のみの変更で済むため、既に製造・販売されている画像形成装置においても僅かな変更で提供できる。
【００１５】
また、図４及び図５に示すように、第１及び第２突起部材２０、２１は溝１５側面に対して直交方向に取り付けているので、位置決め部材３０を取り付けて使用する場合の安定性を確保できる。
図４では、溝内に底部を嵌合して取り付ける位置決め部材３０のガタツキを無くすために、位置決めスケール１４の溝１５の底面に溝１５の大きさに対して径の小さい１個以上の位置決め穴２２を設けている。この径の小さい穴は、比較的容易に精度良く加工できる。
位置決め穴２２を溝１５の底面に設けて位置決め部材３０の底部を位置決め固定することで、ガタツキを無くすことができる。
さらに、図４及び図５に示すように、位置決めスケール１４に設けた溝１５は位置決めスケール１４を貫通していない。このため、その溝１５を通って、画像形成装置内部に異部材が入るのを防ぐことができる。
【図面の簡単な説明】
【００１６】
【図１】画像形成装置を示す概略図である。
【図２】画像形成装置の画像読み取り部の一例を示す概略平面図である。
【図３】本発明の実施の形態の原稿位置決めスケールを真上から見た上面図である。
【図４】原稿位置決めスケールに設けた溝を図３の線Ａ−Ａ’で示す断面図である。
【図５】原稿位置決めスケールに設けた溝を図３の線Ｂ−Ｂ’で示す断面図である。
【符号の説明】
【００１７】
Ａ  画像形成装置
１  画像読み取り部
２  排紙部
３  作像部
１０  原稿載置台
１１  コンタクトガラス
１２  位置決めスケール
１４  位置決めスケール
１５  溝
２０  第１突起部材
２１  第２突起部材
２２  位置決め穴
【図１】
2007279604.tif 000003
【図２】
2007279604.tif 000004
【図３】
2007279604.tif 000005
【図４】
2007279604.tif 000006
【図５】
2007279604.tif 000007